(57)【要約】【課題】屈曲形状のプロテクタからコルゲートチューブで外装したワイヤハーネスを引き出す際に、該プロテクタのワイヤハーネス引出口にコルゲートチューブの押さえ部を設ける。【解決手段】底壁１４と左右両側壁１５を有する樋形状のプロテクタ本体１１と、該本体１１に被せる蓋１２とを備え、プロテクタ本体１１のワイヤハーネス挿通路Ａの左右両側壁１５のうち一方の側壁より突設したワイヤハーネス取出用の引出筒部Ｂ、Ｃが本体１１と蓋部１２とで形成され、別材からなる筒状のコルゲートチューブ押さえ部品１３が引出筒部Ｂ、Ｃの先端開口２０、２１より挿入されて該引出筒部Ｂ、Ｃ内に設けたロック爪４４で係止され、該コルゲートチューブ押さえ部品１３の内周部にワイヤハーネスに外装したコルゲートチューブＴの環状凹凸部Ｔａ、Ｔｂと係止する係止部３８、３９を設けていることを特徴とする。【選択図】図３
2008283793.tif 000002
【特許請求の範囲】
【請求項１】
底壁と左右両側壁を有する樋形状の本体と、該本体に被せる蓋とを備えた樹脂成形品からなるワイヤハーネス用プロテクタであって、
ワイヤハーネスの挿通方向に沿った前記左右両側壁のうち一方の側壁よりワイヤハーネス取出用の引出筒部が突出し、該引出筒部の軸線方向が傾斜し、コルゲートチューブを外装したワイヤハーネスが傾斜して引き出される形状であり、
前記本体と蓋とで形成した前記引出筒部の先端開口から別材からなる筒状のコルゲートチューブ押さえ部品が挿入され、該引出筒部内に設けた係止部で係止され、該コルゲートチューブ押さえ部品の内周部に、前記ワイヤハーネスに外装したコルゲートチューブの環状凹凸部と係止する係止部が設けられていることを特徴とするワイヤハーネス用プロテクタ。
【請求項２】
前記コルゲートチューブ押さえ部品は、断面コ字形状の支持枠部と、該支持枠部の一側先端に薄肉ヒンジ部を介して一端を連結した閉鎖片部とを備え、
前記支持枠部の内周面に前記コルゲートチューブの凹凸と嵌合する凹凸部からなる前記係止部が設けられていると共に、該支持枠部の底部よりロック片と、Ｌ形状とした一対のガイド係止片とが突設され、かつ
前記引出筒部を構成する本体側部に、底壁より前記ロック片に当接する位置決め突起と、該ロック片に係止するロック爪とが突設されていると共に、側壁には、前記ガイド係止片を係止してコルゲートチューブ押さえ部品の挿入を案内するガイドリブと、前記閉鎖片部の自由端側を挿入する溝が設けられている一方、
該引出筒部を構成する蓋側部に、前記閉鎖片部を支持枠部側に押圧する押さえ部と、前記ヒンジ部の挿入溝が設けられている請求項１に記載のワイヤハーネス用プロテクタ。
【請求項３】
前記本体と蓋とで形成されたワイヤハーネス挿通路内に挿通されるワイヤハーネスの挿通方向の先端側に、２つの前記引出筒部が挿通方向に並設して設けられており、
これら引出筒部は前記ワイヤハーネス挿通路に対する屈曲角度が９０度〜１２０度で、該引出筒部の軸線方向の傾斜角度はプロタクタ本体の底壁に対して３０度〜５０度ある請求項１または請求項２に記載のワイヤハーネス用プロテクタ。
【発明の詳細な説明】
【技術分野】
【０００１】
本発明は、ワイヤハーネス用プロテクタに関し、詳しくは、該プロテクタ内に挿通するワイヤハーネスを引き出す部分に、該ワイヤハーネスに外装されたコルゲートチューブとの係止機能を備えているものである。
【背景技術】
【０００２】
自動車に配索するワイヤハーネスは、車両内における配索スペースにも制限があるため、車体パネルや外部干渉材に沿った狭いスペースに正確かつ高密度に配索する必要があるため、配索経路の確保およびワイヤハーネスを保護するため、樹脂成形品からなるプロテクタを設けてワイヤハーネスに外装している場合が多い。また、プロテクタから引き出されるワイヤハーネスには樹脂成形品からなるコルゲートチューブで外装して、ワイヤハーネスの保護を図っている場合が多く、このような場合、プロテクタから引き出されるワイヤハーネスに外装したコルゲートチューブをプロテクタの引出部で係止する必要がある。
【０００３】
この種のプロテクタとして、特開２００１−８３２９号公報が提供されている。該プロテクタは、図５に示すように、樋形状のプロテクタ本体２と該プロテクタ本体２の上面開口を閉鎖する蓋３とからプロテクタ１を構成し、プロテクタ本体２の内周面には、ワイヤハーネス６に外装されたコルゲートチューブ７の凹溝７ａ内に嵌入される係止リブ４を軸線方向に複数個隔設すると共に、蓋３の内面にも、コルゲートチューブ７の前記凹溝７ａ内に嵌入される係止リブ５を、軸線方向に複数個隔設している。
【０００４】
前記プロテクタ１では、ワイヤハーネス５の引き出し方向がプロテクタ１の長さ方向の先端側であるため、コルゲートチューブを係止する係止リブ４、５を内面に設けたプロテクタ本体２の樹脂成形工程において、上下金型で形成することが可能である。
【０００５】
しかしながら、プロタクタの形状は前記のように種々の制約を受けるため複雑な形状となる場合が多い。例えば、ワイヤハーネスの引出部をプロテクタのワイヤハーネスの挿通方向に沿った左右両側壁のうち一方の側壁より突出させると共に、該引出部よりワイヤハーネスを傾斜させて引き出す必要がある場合など、引出部の内周面にコルゲートチューブの係止部を金型で成形できない場合がある。
【０００６】
【特許文献１】特開２００１−８３２９号公報
【発明の開示】
【発明が解決しようとする課題】
【０００７】
本発明は、前記問題に鑑みてなされたもので、複雑な形状で、引出部にコルゲートチューブの係止部が金型で設けることができない場合においても、該コルゲートチューブの係止部を備えることが出来るようにすることを課題としている。
【課題を解決するための手段】
【０００８】
前記問題を解決するために、本発明は、底壁と左右両側壁を有する樋形状の本体と、該本体に被せる蓋とを備えた樹脂成形品からなるワイヤハーネス用プロテクタであって、
ワイヤハーネスの挿通方向に沿った前記左右両側壁のうち一方の側壁よりワイヤハーネス取出用の引出筒部が突出し、該引出筒部の軸線方向が傾斜し、コルゲートチューブを外装したワイヤハーネスが傾斜して引き出される形状であり、
前記本体と蓋とで形成した前記引出筒部の先端開口から別材からなる筒状のコルゲートチューブ押さえ部品が挿入され、該引出筒部内に設けた係止部で係止され、該コルゲートチューブ押さえ部品の内周部に、前記ワイヤハーネスに外装したコルゲートチューブの環状凹凸部と係止する係止部が設けられていることを特徴とするワイヤハーネス用プロテクタを提供している。
【０００９】
前記のように、プロタクタ内に挿通したワイヤハーネスを一側壁に突設した引出筒部を通し、さらに、該引出筒部からワイヤハーネスを上向き或いは下向きに傾斜させた引き出す構成とする場合、プロタクタ本体の外壁は金型で成形することはできるが、傾斜した引き出し筒部の内周面にコルゲートチューブの係止部を傾斜面に対して直角方向に突設して設けることは、スライド型を用いても金型で一体成形することはできない。
よって、本発明では、プロテクタ本体と蓋とで構成した引出筒部内に、別体からなる筒状体をコルゲートチューブ押さえ部品を組み付けることによって、プロテクタ本体の内部にコルゲートチューブ用の係止部を備えることができる構造としている。
このように、コルゲートチューブ押さえ部品とプロテクタ本体とを別々に成形することで、金型では一体成形できなかったコルゲートチューブの係止部を備えたプロタクタとすることができる。
【００１０】
前記コルゲートチューブ押さえ部品は、断面コ字形状の支持枠部と、該支持枠部の一側先端に薄肉ヒンジ部を介して一端を連結した閉鎖片部が設けられており、
前記支持枠部の内周面に前記コルゲートチューブの凹凸と嵌合する凹凸部からなる前記係止部が設けられていると共に、該支持枠部の底部よりロック片と、Ｌ形状とした一対のガイド係止片とが突設され、かつ
前記引出筒部を構成する本体側部に、底壁より、前記ロック片に当接する位置決め突起と、該ロック片に係止するロック爪とが突設されていると共に、側壁には、前記ガイド係止片を係止してコルゲートチューブ押さえ部品の挿入を案内するガイドリブと、前記閉鎖片部の自由端側を挿入する溝が設けられている一方、
該引出筒部を構成する蓋側部に、前記閉鎖片部を支持枠部側に押圧する押さえ部と、前記ヒンジ部の挿入溝が設けられていることが好ましい。
【００１１】
前記構成とすることにより、まず、引出筒部の本体側部にコルゲートチューブ押さえ部品を挿し込むときに、本体側部の前記ガイドリブにコルゲートチューブ押さえ部品の前記ガイド係止片を係止させることにより、該ガイドリブに沿って正確かつスムーズにコルゲートチューブ押さえ部品を挿し込むことができると共に、本体側部に対してコルゲートチューブ押さえ部品を上下方向に位置決めすることができる。次に、コルゲートチューブ押さえ部品の前記ロック片の奥側面が、本体側部の前記位置決め突起に突き当たると共に、該ロック片の前側面に前記ロック爪が係止することにより、本体側部に対してコルゲートチューブ押さえ部品を挿入方向に位置決めすると共にロック固定することができる。
【００１２】
次いで、本体側部にロック固定されたコルゲートチューブ押さえ部品の支持枠部内にハーネスを挿通し、コルゲートチューブの環状凹凸部にコルゲートチューブ押さえ部品の係止部を嵌合させた後、前記閉鎖片部を閉鎖して、該閉鎖片部の自由端側を本体側部の前記溝に挿入することによって、閉鎖片部を閉鎖状態で仮固定することができる。
【００１３】
最後に、引出筒部の蓋側部を本体側部に被せてロック結合することにより、該蓋側部の押さえ部でコルゲートチューブ押さえ部品の閉鎖片部を閉鎖方向に押圧すると共に、該蓋側部の前記溝内にコルゲートチューブ押さえ部品の前記ヒンジ部を嵌め込むことにより、閉鎖片部を閉鎖方向に付勢することができる。
【００１４】
前記本体と蓋とで形成されたワイヤハーネス挿通路内に挿通されるワイヤハーネスの挿通方向の先端側に、２つの前記引出筒部が挿通方向に並設して設けられており、
これら引出筒部は前記ワイヤハーネス挿通路に対する屈曲角度が９０度〜１２０度で、該引出筒部の軸線方向の傾斜角度はプロタクタ本体の底壁に対して３０度〜５０度ある。
【発明の効果】
【００１５】
上述したように、本発明によれば、コルゲートチューブの環状凹凸部と係止する係止部をプロテクタ本体に一体成形するのではなく、該係止部を備えた筒状のコルゲートチューブ押さえ部を別部品化してプロテクタ本体に組み付ける構成としているため、複雑な形状でコルゲートチューブ係止部を設けることが出来なかったプロタクタに、コルゲートチューブ係止機能を持たせることができる。
【発明を実施するための最良の形態】
【００１６】
以下、本発明の実施形態を図面を参照して説明する。
図１乃至図４に、本発明の第１実施形態にかかるワイヤハーネス用プロテクタ１０を示す。プロテクタ１０は、車両の車体パネルに沿って配索されるワイヤハーネス（図示せず）に外装するものであり、該プロタクタ１０から引き出されるワイヤハーネスはコルゲートチューブＴの内部を貫通させているものである。
【００１７】
プロテクタ１０は、図２（Ａ）（Ｂ）に示すように、ワイヤハーネスの挿通方向に沿ったワイヤハーネス挿通路Ａの先端側に、ワイヤハーネス取り出し用の２つの引出筒部Ｂ、Ｃを前記ワイヤハーネスの挿通方向に対して屈曲させて並設している。該引出筒部Ｂ、Ｃは、図２（Ｂ）に示すように、ワイヤハーネス挿通路Ａに対する角度αを１２０度として屈曲させると共に、互いに略平行に突出している。引出筒部Ｂは、引出筒部Ｃよりも突出長さを長くしている。
また、引出筒部Ｂ，Ｃの軸線方向Ｄ−Ｄはプロタクタ１０の底面に対して傾斜させ、該底面に対する傾斜角度βを４５度としている。
【００１８】
プロテクタ１０は樹脂成形品からなり、図１に示すように、プロテクタ本体１１と、該プロテクタ本体１１の上面開口に被せて覆う蓋１２と、プロテクタ本体１１内に取り付けられる筒状のコルゲートチューブ押さえ部品１３とからなり、それぞれを別材として成形している。
【００１９】
前記プロテクタ本体１１は樋形状からなり、図１に示すように、ワイヤハーネス挿通路Ａの本体側部Ａ１を構成する底壁１４と左右両側壁１５を有すると共に、一方の側壁１５の先端側より外方に、引出筒部Ｂの本体側部Ｂ１を構成する底壁１６と両側壁１７（１７ａ、１７ｂ）と、引出筒部Ｃの本体側部Ｃ１を構成する底壁１８と両側壁１９とを一体に突設している。
【００２０】
前記引出筒部Ｂの底壁１６は、図３に示すように、前記したように４５度上方傾斜させると共に、引出筒部Ｂの後述の蓋側部Ｂ２の先端よりも前方に突出させて、先端開口２０を４５度上向きにしている。
前記引出筒部Ｃは、底壁１８全体を４５度上方傾斜させると共に、引出筒部Ｃの後述の蓋側部Ｃ２の先端よりも前方に突出させて、先端開口２１を４５度上向きにしている。
【００２１】
前記蓋１２は、図１に示すように、ワイヤハーネス挿通路Ａの本体側部Ａ１に被せる蓋側部Ａ２と、引出筒部Ｂの本体側部Ｂ１に被せる蓋側部Ｂ２と、引出筒部Ｃの本体側部Ｃ１に被せる蓋側部Ｃ２を連続一体に形成している。
ワイヤハーネス挿通路Ａの蓋側部Ａ２は、本体側部Ａ１の上面開口を覆う上壁２２と該上壁２２の幅方向両端より下方に屈曲させた両側壁２３を備えている。同様に、引出筒部Ｂの蓋側部Ｂ２は、引出筒部Ｂの本体側部Ｂ１の上面開口を覆う上壁２４と両側壁２５（２５ａ、２５ｂ）を備え、引出筒部Ｃの蓋側部Ｃ２も、引出筒部Ｃの本体側部Ｃ１の上面開口を覆う上壁２６と両側壁２７を備えている。
【００２２】
前記コルゲートチューブ押さえ部品１３は、図１、図３および図４に示すように、底壁３２と両側壁３３を有して内部にワイヤハーネスを挿通する断面コ字状の支持枠部３１と、該支持枠部３１の底壁３２の下面より下方に突設した支持脚部３４と、支持枠部３１の一側上端に薄肉ヒンジ３６を介して一端を連結した閉鎖片部３５とからなる。
【００２３】
前記支持枠部３１の内周面には、前記コルゲートチューブＴの環状凹凸部Ｔａ、Ｔｂと嵌合する凹凸を軸線方向に交互に連続させてなる係止部３８を設けている。
【００２４】
前記支持脚部３４は前後左右の脚片からなる四角枠形状であり、後脚片はプロテクタ本体１１に係止されるロック片４０からなり、左右両脚片は、外向きにＬ形状に屈曲させた一対のガイド係止片４１からなる。
【００２５】
前記閉鎖片部３５の下面側（内面側）には、図３に示すように、前記コルゲートチューブＴの環状凹凸部Ｔａ、Ｔｂと嵌合する凹凸を軸線方向に交互に連続させてなる係止部３９を設けている。また、該閉鎖片部３５の自由端側には、図４に示すように、閉鎖状態において支持枠部３１の側壁３３の外面よりも外方に突出する突起４２を設けている。
【００２６】
前記引出筒部Ｂの本体側部Ｂ１の底壁１６の内面には、図３に示すように、該引出筒部Ｂに挿入された前記コルゲートチューブ押さえ部品１３の前記ロック片４０の奥側面４０ａが当接する位置決め突起４３を突設すると共に、該位置決め突起４３よりも開口側位置には、前記ロック片４０の前側面４０ｂに当接して係止するロック爪４４を突設している。
【００２７】
引出筒部Ｂの両側壁１７の内面には、図４に示すように、コルゲートチューブ押さえ部品１３の前記一対のガイド係止片４１の上面に当接する一対のガイドリブ４５を突設し、該引出筒部Ｂの軸線方向に延在させている。
また、前記両側壁１７のうち、一方の側壁１７ａは他方の側壁１７ｂよりも高く形成し、高い側壁１７ａの内面側には、コルゲートチューブ押さえ部品１３の前記閉鎖片部３５の閉鎖状態における前記突起４２を挿入係止する係止溝４６を凹設している。
【００２８】
前記引出筒部Ｂの蓋側部Ｂ２の上壁２４の下面側には、図３に示すように、閉鎖状態のコルゲートチューブ押さえ部品１３の閉鎖片部３５の上面の、左右両側と奥側の３箇所を押圧するコ字枠形状の押さえ部４７を突設している。また、該上壁２４の開口側端より、コルゲートチューブ押さえ部品１３の先端面１３ａに当接して、該部品１３の抜け方向の移動を規制する抜け防止用リブ４８を斜め下方に突設している。
【００２９】
引出筒部Ｂの蓋側部Ｂ２の両側壁２５は、図４に示すように、一方の側壁２５ａを他方の側壁２５ｂよりも下方に長く垂下させ、該長い側壁２５ａの内面側には、引出筒部Ｂ内に取り付けられたコルゲートチューブ押さえ部品１３の閉鎖状態のヒンジ部３６を嵌め込む挿入溝４９を凹設している。
【００３０】
引出筒部Ｃについても前記引出筒部Ｂと同様に、本体側部Ｃ１の底壁１８には、位置決め突起４３とロック爪４４、側壁１９にはガイドリブ４５と係止溝４６を設け、蓋側部Ｃ２の上壁２６には押さえ部４７と抜け防止用リブ４８、側壁２７には挿入溝４９を設けている。
【００３１】
ワイヤハーネス挿通路Ａの本体側部Ａ１の左右両側壁１５の外面には、図２（Ａ）（Ｂ）に示すように、所要間隔をあけて複数のロック係止枠５１を突設している。また、引出筒部Ｂの本体側部Ｂ１の左右両側壁１７と、引出筒部Ｃの本体側部Ｃ１の一方の側壁１９にもロック係止枠５１を突設している。
【００３２】
ワイヤハーネス挿通路Ａの蓋側部Ａ２の両側壁２３の下端には、前記ロック係止枠５１に対応させて、複数のロック部５２を下方に突設している。また、引出筒部Ｂの蓋側部Ｂ２の両側壁２５と、引出筒部Ｃの蓋側部Ｃ２の一方の側壁２７にもロック部５２を突設している。
【００３３】
前記構成のプロテクタ１０をワイヤハーネスに取り付けるときは、まず、コルゲートチューブ押さえ部品１３を、引出筒部Ｂ、Ｃの本体側部Ｂ１、Ｃ１に先端開口２０、２１から挿入して取り付ける。このとき、コルゲートチューブ押さえ部品１３のガイド係止片４１を、引出筒部Ｂ、Ｃの底壁１６、１８とガイドリブ４５との間に差し込み、ロック片４０が引出筒部Ｂ、Ｃの位置決め突起４３に突き当たるまでガイドリブ４５に沿って挿入し、ロック片４０をロック爪４４に係止して挿入方向に位置決めすると共に、前記ガイド係止片４１を引出筒部Ｂ、Ｃの底壁１６、１８とガイドリブ４５の間に挿入係止して上下方向に位置決めする。
【００３４】
次いで、プロテクタ本体１１に取り付けられた前記コルゲートチューブ押さえ部品１３の支持枠部３１内にワイヤハーネスを挿通し、該ワイヤハーネスに外装されたコルゲートチューブＴの環状凹凸部Ｔａ、Ｔｂに、支持枠部３１の前記係止部３８を嵌合させると共に、前記閉鎖片部３５を閉鎖して該閉鎖片部３５の係止部３９も嵌合させる。閉鎖した閉鎖片部３５の自由端側の前記突起４２は、引出筒部Ｂ、Ｃの側壁１７、１９に設けた前記係止溝４６に挿入して仮ロックする。
【００３５】
次に、プロテクタ本体１１の上面開口に蓋１２を被せ、前記ロック部５２をロック係止枠５１に挿入係止してロック結合させる。これにより、コルゲートチューブ押さえ部品１３の閉鎖片部３５は、引出筒部Ｂ、Ｃの蓋側部Ｂ２、Ｃ２の押さえ部４７に上面を押圧されると共に、ヒンジ部３６が挿入溝４９に嵌め込まれることで、閉鎖方向に付勢される。
また、蓋側部Ｂ２、Ｃ２の先端側の抜け防止用リブ４８がコルゲートチューブ押さえ部品１３の先端面１３ａに当接することで、コルゲートチューブ押さえ部品１３の抜け外れを規制する。
【００３６】
前記構成のプロテクタ１０は、コルゲートチューブＴの環状凹凸部Ｔａ、Ｔｂと係止する係止部３８、３９を備えたコルゲートチューブ押さえ部品１３を、プロテクタ本体１１とは別部品化してハーネス製造時にプロテクタ本体１１に取り付ける構成としているため、プロテクタ本体１１とコルゲートチューブ押さえ部品１３とを別材として成形でき、従来の金型構造の問題を解消できるため、複雑なハーネス仕様にも多様に対応できる。
【図面の簡単な説明】
【００３７】
【図１】本発明の第一実施形態に係るプロテクタの分解斜視図である。
【図２】ワイヤハーネス（図示せず）に装着された状態のプロテクタを示し、（Ａ）は斜視図、（Ｂ）は平面図である。
【図３】図２のIII−III線断面図である。
【図４】図３のIV−IV線断面図である。
【図５】従来例の図である。
【符号の説明】
【００３８】
１０  プロテクタ
１１  プロテクタ本体
１２  蓋
１３  コルゲートチューブ押さえ部品
１４、１６、１８  底壁
１５、１７、１９  両側壁
２０、２１  先端開口
３８、３９  係止部
４０  ロック片
４１  ガイド係止片
４３  位置決め突起
４４  ロック爪
４５  ガイドリブ
Ａ  ワイヤハーネス挿通路
Ｂ、Ｃ  引出筒部
Ｂ１、Ｃ１  本体側部
Ｂ２、Ｃ２  蓋側部
Ｔ  コルゲートチューブ
【図１】
2008283793.tif 000003
【図２】
2008283793.tif 000004
【図３】
2008283793.tif 000005
【図４】
2008283793.tif 000006
【図５】
2008283793.tif 000007